【事件の表示】
　特願２０１５−５４０２３７「色域を有するＬＥＤ系デバイス」拒絶査定不服審判事件〔平成２６年　５月　８日国際公開、ＷＯ２０１４／０６８４４０、平成２８年　２月　４日国内公表、特表２０１６−５０３５７９〕について、次のとおり審決する。
【結　論】
　本件審判の請求は、成り立たない。
【理　由】
第１　手続の経緯 
　本願は、２０１３年１０月２２日（パリ条約による優先権主張外国庁受理２０１２年１１月１日、米国）を国際出願日とする出願であって、以後の手続は、以下のとおりである。
　
　平成２８年　８月２３日：出願審査請求書の提出
　平成２９年　８月　７日：拒絶理由通知（８月１５日発送）
　　　　同年１１月　９日：手続補正書・意見書の提出　
　平成３０年　１月１２日：拒絶査定（１月２３日送達。以下「原査定」
　　　　　　　　　　　　　という。）
　　　　同年　４月２５日：審判請求書・手続補正書の提出
　　　　同年１２月１８日：拒絶理由通知（１２月２５日発送）　
　平成３１年　３月　５日：手続補正書・意見書の提出
　　                                  　
第２　本願発明
　本願の請求項１ないし１０に係る発明は、平成３１年３月５日の手続補正（以下、この手続補正書による手続補正を「本件補正」という。）により補正された請求項１ないし１０に記載された事項により特定されるものであり、そのうち請求項１に係る発明（以下「本願発明」という。）は、以下のとおりである。
　「【請求項１】
　青色光源、緑色光源、広帯域スペクトル光分布を有する赤色光を提供するように構成された第１赤色ルミネセント材料を含む赤色第１光源、および１つまたは２つ以上の赤色輝線を含むスペクトル光分布を有する赤色光を提供するように構成された第２赤色ルミネセント材料を含む赤色第２光源を含む、照明ユニットを含むＬＣＤディスプレイデバイスであって、前記照明ユニットがバックライトユニットとして構成され、
　
前記赤色第１光源は
　
前記第１赤色ルミネセント材料は、２価のユーロピウム含有硫化物、２価のユーロピウム含有窒化物、および２価のユーロピウム含有酸窒化物からなる群から選定され
　
前記赤色第２光源は
　
前記第２赤色ルミネセント材料は、４価のマンガンでドープされたＭ
２
ＡＸ
６
からなる群から選定され、ここで、Ｍは１価のカチオンであり、Ｌｉ、Ｎａ、Ｋ、Ｒｂ、Ｃｓ、ＮＨ
４
からなる群から選定され、ＡはＳｉ、Ｔｉ、Ｇｅ、Ｓｎ、Ｚｒからなる群から選定された４価のカチオンを有し、Ｘは、Ｆ、Ｃｌ、Ｂｒ、およびＩからなる群から選定された１価のアニオンを有するが、少なくともＦを有する
   
第３　拒絶の理由
　平成３０年１２月１８日付け拒絶理由通知（以下「当審拒絶理由通知」という。）における【理由４】は、次のとおりのものである。
    　
　本願発明１ないし本願発明１２は、その優先日（２０１２年１１月１日）前に日本国内または外国において頒布された下記の引用文献１に記載された発明に基いて、その優先日前にその発明の属する技術の分野における通常の知識を有する者が容易に発明をすることができたものであるから、特許法第２９条第２項の規定により特許を受けることができない。 
 　 
　　　　　　　引　用　文　献　等　一　覧 
１　特開２０１２−１０４８１４号公報（２０１２年５月３１日公開）
　　    　　
　周知技術であることを示すための文献
　国際公開第２０１２／１１４６４０号 
　国際公開第２０１２／０７７４４８号 
　国際公開第２０１１／１０２３３９号
　特開平１１−３４０５１６号公報 
　特開２００８−３５６９１号公報 
　　　
第４　引用文献の記載及び引用発明　　　　　　　  
１　当審拒絶理由通知で引用した特開２０１２−１０４８１４号公報（以下「引用文献」という。）には、図とともに以下の記載がある（なお、下線は、当審で付したものである。以下同じ。）。
  　  　 
（１）「【請求項１】
　
青色発光するＬＥＤ素子
緑色光を放射する蛍光体
赤色光を放射する蛍光体
　該
赤色光を放射する蛍光体
Ｍｎ
４＋
付活フッ化物錯体蛍光体およびＥｕ
２＋
付活アルカリ土類ケイ窒化物蛍光体
　該樹脂組成物中に含まれる該Ｍｎ４＋付活フッ化物錯体蛍光体およびＥｕ２＋付活アルカリ土類ケイ窒化物蛍光体の総量に対する、該Ｅｕ２＋付活アルカリ土類ケイ窒化物蛍光体の含有比率が、０．５重量％以上１４．０重量％以下である白色発光装置。
【請求項２】
　……
【請求項２１】
　青色発光するＬＥＤ素子と、該青色発光するＬＥＤ素子が発した光を波長変換して黄色光を放射する蛍光体および／または緑色光を放射する蛍光体と、該青色発光するＬＥＤ素子が発した光を波長変換して赤色光を放射する蛍光体とを含有する樹脂組成物を備える白色発光装置であって、
　該
赤色光を放射する蛍光体
狭帯域の発光スペクトルを有する赤色蛍光体
広帯域の発光スペクトルを有する赤色蛍光体
　該樹脂組成物中に含まれる該狭帯域の発光スペクトルを有する赤色蛍光体および該広帯域の発光スペクトルを有する赤色蛍光体の総量に対する、該広帯域の発光スペクトルを有する赤色蛍光体の含有比率が、０．５重量％以上１４．０重量％以下である白色発光装置。」
　　　
（２）【技術分野】
【０００１】
　本発明は、
赤色発光するＭｎ
４＋
付活フッ化物錯体蛍光体
【背景技術】
【０００２】
　
狭帯域の発光スペクトルを有する赤色蛍光体としてＭｎ
４＋
付活フッ化物錯体蛍光体が知られている
Ｍｎ
４＋
付活フッ化物錯体蛍光体であるＫ
２
ＴｉＦ
６
：Ｍｎ
広帯域黄色蛍光体Ｔｂ
３
Ａｌ
５
Ｏ
１２
：Ｃｅ
     　
（３）「【００７３】 
　本願発明の白色発光装置は、電球、ダウンライト、ライン照明などの照明器具に用いることができる。」 
  　
（４）「【００１６】
　図示は省略するが、パッケージ１１には周知の配線パターンが付与されている。
青色ＬＥＤ素子１２は４４０〜４７０ｎｍに発光ピーク波長を有しており
（５）「【００２５】
　好ましい
Ｍｎ
４＋
付活フッ化物錯体蛍光体
Ｋ
２
ＳｉＦ
６
：Ｍｎ（ＫＳＦ）
ＫＳＮＡＦ（Ｋ
２
Ｓｉ
１−ｘ
Ｎａ
ｘ
Ａｌ
ｘ
Ｆ
６
：Ｍｎ
（６）「【００２８】
　Ｅｕ２＋付活アルカリ土類ケイ窒化物蛍光体の具体例には、
（Ｃａ，Ｓｒ，Ｂａ）ＡｌＳｉＮ
３
：Ｅｕ
  　
（７）　「【００６１】
　……表１に、実施例および比較例で使用した各蛍光体の発光特性を示す。図５および図６には、ＫＳＮＡＦおよびＳＣＡＳＮの発光スペクトルをそれぞれ示す。
ＳＣＡＳＮの発光ピーク波長６１７ｎｍ
ＫＳＮＡＦの最大発光ピーク波長６３１ｎｍ
【００６２】
【表１】
」　
　　
（８）図５及び図６は、以下のものである。  　　　　
　図５（Ｍｎ４＋付活フッ化物錯体蛍光体）
      　
　図６（Ｅｕ２＋付活アルカリ土類ケイ窒化物蛍光体）
　　　
２　引用文献に記載された発明
（１）上記１（１）及び（２）の記載からして、
　「狭帯域の発光スペクトルを有する赤色蛍光体」は、「Ｍｎ４＋付活フッ化物錯体蛍光体」であり、
　「広帯域の発光スペクトルを有する赤色蛍光体」は、「Ｅｕ２＋付活アルカリ土類ケイ窒化物蛍光体」であることが理解できる。
（２）また、上記１（３）の記載からして、「白色発光装置」は、具体的には、「電球、ダウンライト、ライン照明などの照明器具に用いることができる白色発光装置」であることが理解できる。
　
（３）上記（１）及び（２）からして、引用文献には、
　「
青色発光するＬＥＤ素子
　該青色発光するＬＥＤ素子が発した光を波長変換して
緑色光を放射する蛍光体
赤色光を放射する蛍光体
　該赤色光を放射する蛍光体が、
　最大発光ピークが６００ｎｍ以上６６０ｎｍ以下であり、赤色発光ピークの半値全幅が８０ｎｍ以上である
広帯域の発光スペクトルを有するＥｕ
２＋
付活アルカリ土類ケイ窒化物蛍光体
　最大発光ピークが６００ｎｍ以上６６０ｎｍ以下であり、赤色発光ピークの半値全幅が２０ｎｍ以下である
狭帯域の発光スペクトルを有するＭｎ
４＋
付活フッ化物錯体蛍光体
　を含む照明器具。」が記載されているものと認められる。
　　
（４）上記１（４）の記載からして、
　上記（１）の「青色発光するＬＥＤ素子」は、
　４４０〜４７０ｎｍに発光ピーク波長を有する青色ＬＥＤ素子であってもよいものと認められる。
（５）上記１（５）の記載からして、
　上記（１）の「（狭帯域の）Ｍｎ４＋付活フッ化物錯体蛍光体」は、具体的には、
　「Ｋ２ＳｉＦ６：Ｍｎ（略称：ＫＳＦ）」（以下、単に、「Ｋ２ＳｉＦ６：Ｍｎ（ＫＳＦ）」と表記する。）又は
　「Ｋ２Ｓｉ１−ｘＮａｘＡｌｘＦ６：Ｍｎ（略称：ＫＳＮＡＦ）」（以下、単に、「Ｋ２Ｓｉ１−ｘＮａｘＡｌｘＦ６：Ｍｎ（ＫＳＮＡＦ）」と表記する。）であってもよいものと認められる。
　　　
（６）上記１（６）の記載からして、
　上記（１）の「（広帯域の）Ｅｕ２＋付活アルカリ土類ケイ窒化物蛍光体」は、具体的には、「ＳｒｘＣａ１−ｘＡｌＳｉＮ３：Ｅｕ（略称：ＳＣＡＳＮ）」であってもよいものと認められる（以下、単に、「ＳｒｘＣａ１−ｘＡｌＳｉＮ３：Ｅｕ（ＳＣＡＳＮ）」と表記する。）。　
                     　　
（７）上記１（７）の記載、図５及び図６からして、以下のことが理解できる。
　ア　「Ｋ２ＳｉＦ６：Ｍｎ（ＫＳＦ）」及び「Ｋ２Ｓｉ１−ｘＮａｘＡｌｘＦ６：Ｍｎ（ＫＳＮＡＦ）」の最大発光ピーク波長は「６３１ｎｍ」であること。
　　
　イ　「ＳｒｘＣａ１−ｘＡｌＳｉＮ３：Ｅｕ（ＳＣＡＳＮ）」の最大発光ピーク波長は「６１７ｎｍ」であること。
　　  　
（８）上記（１）から（７）までを総合すると、引用文献には、次の発明（以下「引用発明」という。）が記載されていると認められる。 
  
 「４４０〜４７０ｎｍに発光ピーク波長を有する
青色ＬＥＤ素子
　前記青色ＬＥＤ素子が発した光を波長変換して
緑色光を放射する蛍光体
赤色光を放射する蛍光体
　前記赤色光を放射する蛍光体が、
　最大発光ピークが
６１７ｎｍ
広帯域
　最大発光ピークが
６３１ｎｍ
狭帯域
　　　        　
第５　対比・判断
１　本願発明について
（１）対比
　ア　本願発明と引用発明とを対比すると、次のことがいえる。
（ア）ａ　本願発明の「青色光源」及び「緑色光源」について、本願明細書には、以下の記載がある。
　「【００１８】
　…よって、実施形態では、青色光源は、
青色発光ダイオード（ＬＥＤ）
【００１９】
　青色光源として、青色ルミネセント材料を組み合わせて、１つまたは２つ以上の（ａ）ＵＶ  ＬＥＤ、および（ｂ）
青色ＬＥＤ
緑色ルミネセント材料を組み合わせた青色ＬＥＤ
  　
　ｂ　上記記載からして、本願発明の「青色光源」は、青色発光ダイオード（ＬＥＤ）を含み、同様に、「緑色光源」は、「緑色ルミネセント材料を組み合わせた青色ＬＥＤ」を含むものと解される。
　
　ｃ　そうすると、引用発明の「４４０〜４７０ｎｍに発光ピーク波長を有する青色ＬＥＤ素子」は、本願発明の「青色光源」に相当する。
　ｄ　また、引用発明の「樹脂組成物」は、「青色ＬＥＤ素子が発した光を波長変換して緑色光を放射する蛍光体」を含むことから、引用発明は、本願発明の「緑色光源」を備えているといえる。
（イ）引用発明の「ＳｒｘＣａ１−ｘＡｌＳｉＮ３：Ｅｕ（ＳＣＡＳＮ）」は、本願発明の「『２価のユーロピウム含有硫化物、２価のユーロピウム含有窒化物、および２価のユーロピウム含有酸窒化物からなる群から選定され』る『第１赤色ルミネセント材料』」に相当する。
　同様に、引用発明の「Ｋ２ＳｉＦ６：Ｍｎ（ＫＳＦ）」は、本願発明の「『４価のマンガンでドープされたＭ２ＡＸ６からなる群から選定され、ここで、Ｍは１価のカチオンであり、Ｌｉ、Ｎａ、Ｋ、Ｒｂ、Ｃｓ、ＮＨ４からなる群から選定され、ＡはＳｉ、Ｔｉ、Ｇｅ、Ｓｎ、Ｚｒからなる群から選定された４価のカチオンを有し、Ｘは、Ｆ、Ｃｌ、Ｂｒ、およびＩからなる群から選定された１価のアニオンを有するが、少なくともＦを有する』『第２赤色ルミネセント材料』」に相当する。
　また、引用発明の「照明器具」は、本願発明の「照明ユニット」に、相当する。
  　
（ウ）ａ　本願発明の「赤色第１光源」及び「赤色第２光源」について、本願明細書には、図とともに、以下の記載がある。
　
　「【００７７】
　ここで、この実施形態では、青色光源１１０は、青色ＬＥＤを含む。参照記号１１１で示す、この青色光源１１０の上に、例えば、ＬＥＤダイ（die）の
最上部の樹脂中などに、光コンバータ１３００を配置してもよい
　
　「【００８５】
　図１ｃは、
光コンバータ１３００
コンバータ１３００
赤色第１光源１３１０
コンバータ１３００
赤色第２光源１３２０が提供され
　
　「
」
  　　
　ｂ　上記記載及び図１（ｃ）からして、
　本願発明における「赤色第１光源」及び「赤色第２光源」とは、「『広帯域赤色ルミネセント材料』と『狭帯域赤色ルミネセント材料』を包含する樹脂（コンバータ）」により提供されるものであってもよいものと認められる。　
　ｃ　そうすると、引用発明の「樹脂組成物」には、二種類の特性の異なる赤色蛍光体が含有されているから、「赤色第１光源」及び「赤色第２光源」を提供するものであるといえる。
　してみると、本願発明と引用発明とは、
　「赤色第１光源は、中心発光波長≧５９０ｎｍを有し、≧７０ｎｍの半値全幅（ＦＷＨＭ）を有する、広帯域スペクトル光分布を有する赤色光を提供するように構成され、
　赤色第２光源は、中心発光波長≧６１０ｎｍを有する１つまたは２つ以上の赤色輝線を含み、≦５０ｎｍの半値全幅（ＦＷＨＭ）を有する１つまたは２つ以上の赤色輝線を有する、スペクトル光分布を有する赤色光を提供するように構成され」ている点で一致する。
　　　　
　イ　以上のことから、本願発明と引用発明は、次の点で一致する。
　＜一致点＞
　「青色光源、緑色光源、広帯域スペクトル光分布を有する赤色光を提供するように構成された第１赤色ルミネセント材料を含む赤色第１光源、および１つまたは２つ以上の赤色輝線を含むスペクトル光分布を有する赤色光を提供するように構成された第２赤色ルミネセント材料を含む赤色第２光源を含む、照明ユニットであって、
　前記赤色第１光源は、中心発光波長≧５９０ｎｍを有し、≧７０ｎｍの半値全幅（ＦＷＨＭ）を有する、広帯域スペクトル光分布を有する赤色光を提供するように構成され、
　前記第１赤色ルミネセント材料は、２価のユーロピウム含有硫化物、２価のユーロピウム含有窒化物、および２価のユーロピウム含有酸窒化物からなる群から選定され、
　前記赤色第２光源は、中心発光波長≧６１０ｎｍを有する１つまたは２つ以上の赤色輝線を含み、≦５０ｎｍの半値全幅（ＦＷＨＭ）を有する１つまたは２つ以上の赤色輝線を有する、スペクトル光分布を有する赤色光を提供するように構成され、
　前記第２赤色ルミネセント材料は、４価のマンガンでドープされたＭ２ＡＸ６からなる群から選定され、ここで、Ｍは１価のカチオンであり、Ｌｉ、Ｎａ、Ｋ、Ｒｂ、Ｃｓ、ＮＨ４からなる群から選定され、ＡはＳｉ、Ｔｉ、Ｇｅ、Ｓｎ、Ｚｒからなる群から選定された４価のカチオンを有し、Ｘは、Ｆ、Ｃｌ、Ｂｒ、およびＩからなる群から選定された１価のアニオンを有するが、少なくともＦを有する、照明ユニット。」　
　　
　ウ　一方、両者は、以下の点で相違する。
　＜相違点＞
　本願発明は、「照明ユニットを含むＬＣＤディスプレイデバイス」であって、「前記照明ユニットがバックライトユニットとして構成され」ているのに対して、
　引用発明は、そのようなものではない点。
（２）相違点についての判断
　ア　本願明細書には、本願発明の「照明ユニット」について、以下の記載がある。
　
（ア）「【課題を解決するための手段】
【０００６】
　よって、
広範な色域を提供
【０００７】　
　…照明ユニットには、…を含む蛍光体材料混合物が含まれ、これらは両方とも青色ＬＥＤにより励起される。
緑色ＬＥＤとの組み合わせると、ＮＴＳＣ（全国テレビジョン方式委員会）色域の８０％
【０００８】
　…
【００１１】
　本発明の照明ユニットは、
一般照明に適用される照明ユニット
　　
　「【００６７】
　以下に、本発明の多数の用途を示す：
　−  
オフィス照明システム
　−  家庭用アプリケーションシステム
　−  店舗照明システム、
　−  
家庭照明システム
　−  アクセント照明システム、
　−  スポット照明システム、
　−  シアター照明システム、
　−  光ファイバー応用システム、
　−  投影システム、
【００６８】
　−  自己点灯（self−lit）ディスプレイシステム、
　−  ピクセル化ディスプレイシステム、
　−  セグメント化ディスプレイシステム、
　−  警告サインシステム、
　−  医療照明アプリケーションシステム、
　−  インジケータ標示システム、および
　−  装飾照明システム
　−  ポータブルシステム
　−  車載アプリケーション
　−  グリーンハウス照明システム、
である。」
　　
（イ）上記記載からして、
　本願発明における「照明ユニット」は、
広範な色域
　イ　ところで、当審拒絶理由通知において、「周知技術」として以下の点を指摘した。
  
　「ＬＥＤと複数色の蛍光体の組み合わせからなる白色発光装置を液晶のバックライトに用いる技術。」 
    
　必要ならば、以下の文献を参照。
　国際公開第２０１２／１１４６４０号（【０１１４】）
　国際公開第２０１２／０７７４４８号（【００８８】）
　国際公開第２０１１／１０２３３９号（【００２６】）
　特開２０１０−１５７６０８号公報（【０００８】及び【０００９】）
　特表２００９−５２８４２９号公報（【００１１】）
　特開２００９−５９８９６号公報（【０００２】及び【０００３】）
　ちなみに、上記「特開２０１０−１５７６０８号公報」の【０００８】には「…なお、ＭＸＦの発光スペクトルが赤色領域に有するピークは半値幅が極めて小さいので、この
三原色光を同時に放射する発光装置
　　　
　ウ　引用発明の「照明器具」は、「青色ＬＥＤ素子」と「『緑色光を放射する蛍光体』及び『赤色光を放射する蛍光体』を含有する樹脂組成物」との組合わせを利用したのであって、さらに、該「赤色光を放射する蛍光体」の一つに「狭帯域の発光スペクトルを有する赤色蛍光体」を採用したものであるから、「三原色光を同時に放射する発光装置」であることは、当業者にとって明らかである。
　エ　そうすると、引用発明の「照明器具」を、例えば、液晶表示装置のバックライト光源として利用することは、当業者が上記周知技術に基いて容易になし得たことであり、その適用を妨げる特段の事情も見あたらない。
　
　オ　以上の検討によれば、引用発明において、上記＜相違点＞に係る本願発明の構成を採用することは、当業者が上記周知技術に基いて容易になし得たことである。
      　
　カ　効果 
　本願発明の奏する効果は、引用発明の奏する効果及び上記周知技術の奏する効果から予測し得る範囲内のものである。
　
（３）平成３１年３月５日提出の意見書について　
　請求人は、意見書において、以下のように主張するので、この点について検討する。　
　  　
　「一方、引用文献１では、段落「００３５」に記載のように、『波長変換層１３のベース材料は…赤色蛍光体と、最大発光ピークが６００ｎ…赤色蛍光体とを含有して、樹脂組成物を構成』します。
　しかしながら、この構成の目的は、『波長変換層１３中に添加する
狭帯域の発光スペクトルを有する赤色蛍光体の量を大幅に削減する
　ア　引用文献１に記載された「狭帯域の発光スペクトルを有する赤色蛍光体」は、具体的には、ＫＳＦ又はＫＳＮＡＦ等の「Ｍｎ４＋付活フッ化物錯体蛍光体」であって、【０００６】の記載からして、高価な蛍光体であることが理解できる。
　イ　そして、【００２３】等の記載を見れば、引用文献１に記載された発明は、「
広帯域
狭帯域
　ウ　そうすると、引用文献１には、「
広帯域
輝線
　
　エ　一方、引用文献１には、引用発明の「照明器具」を、「ＬＣＤディスプレイデバイスのバックライトユニット」として利用することは明記されていないものの、上記で検討したとおり、当業者が周知技術に基いて容易になし得たことである。
　オ　よって、請求人の上記主張は、上記「（２）」の判断を左右するものではない。
　　　  　
（４）審判請求書について
　請求人は、審判請求書において、以下のように主張するので、この点について検討する。　
　「引用文献１は、…しかしながら、同文献には、ＮＴＳＣ定義との重複が最大であるＦＯＳ色域を有する、ＬＣＤバックライトユニットを構築することを目的とすること、白色発光装置をＬＣＤディスプレイデバイスのバックライトユニットとして用いること、および白色発光装置をバックライトユニットとして用いたＬＣＤディスプレイデバイスにより、
著しく改善された色域を提供する
　※当審注：上記「引用文献１」は、審決における引用文献である。
　ア　しかしながら、引用発明の「照明器具」は、「青色ＬＥＤ素子」と「『緑色光を放射する蛍光体』及び『赤色光を放射する蛍光体』を含有する樹脂組成物」との組合わせを利用したものであって、「三原色光を同時に放射する発光装置」であるといえるから、液晶表示装置のバックライト光源として採用した際に、カラーフィルター（ＲＧＢ）の透過波長帯域と適合し、色再現性が向上することは、予測し得ることである。
　
　イ　よって、請求人の上記主張は、上記「（２）」の判断を左右するものではない。
　　　  　　
２　まとめ
　本願発明は、当業者が引用発明及び周知技術に基づいて容易に発明をすることができたものである。　
　　　
第６　むすび  
　以上のとおり、本願発明は、当業者が引用文献に記載された発明及び周知技術に基づいて容易に発明をすることができたものであるから、他の請求項について検討するまでもなく、本願は拒絶すべきものである。　
　よって、結論のとおり審決する。